(57)【特許請求の範囲】
【請求項１】
本体部と蓋体部とが折り畳み可能に構成され、前記本体部の同一面に第１表示手段と第２表示手段とを備え、前記第１表示手段は前記蓋体部が折り畳まれているか否かにかかわらず露出し、前記第２表示手段は前記蓋体部が開かれたときに露出する携帯端末装置であって、
前記蓋体部が折り畳まれているか否かを検出する検出手段と、
メールの着信に際し、このメールの件名もしくは差出人の氏名を含む画面を前記第１表示手段に表示し、前記検出手段により前記蓋体部が折り畳み状態から開かれたことの検出に応答して、前記メールの本文を前記第２表示手段に表示する制御手段とを備えたことを特徴とする携帯端末装置。
【請求項２】
前記蓋体部の折畳み内面側に設けられ、前記蓋体部が開かれたときに露出する操作キーを備えたことを特徴とする請求項１記載の携帯端末装置。
【請求項３】
前記第２表示手段と前記操作キーとを前記携帯端末装置の長手方向に沿って配置したことを特徴とする請求項２記載の携帯端末装置。
【発明の詳細な説明】
【０００１】
【発明の属する技術分野】
本発明は、携帯電話機等の携帯端末装置に関する。
【０００２】
【従来の技術】
例えば、特開平９−２４７２５０号公報に記載の携帯電話機では、本体の表側に配置され、常に露出している液晶ディスプレイと、本体の表側に配置され、蓋体を閉じたときに蓋体によって覆われる液晶ディスプレイと、蓋体の裏側に配置された液晶ディスプレイとを備え、常に露出している１つの液晶ディスプレイに、操作キー等の操作状態を表示し、蓋体を開いたときに露出する他の２つの液晶ディスプレイに、メッセージや画像等の様々な情報を表示している。
【０００３】
【発明が解決しようとする課題】
しかしながら、上記従来の携帯電話機においては、常に露出している１つの液晶ディスプレイに表示される情報と、蓋体を開いたときに露出する他の２つのディスプレイに表示される情報とに関連性がなく、後者の情報が如何なる種類のものかを知るには、蓋体を開くしかなかった。このため、情報を受信する度に、蓋体を開いて、その情報を確認するという作業を行う必要があった。
【０００４】
そこで、本発明は、上記従来の問題点に鑑みてなされたものであり、露出している表示画面の表示内容と、蓋体を開いたときに露出する他の表示画面の表示内容とに関連性を持たせた携帯端末装置を提供することを目的とする。
【０００５】
【課題を解決するための手段】
上記課題を解決するために、本発明の携帯端末装置は、本体部と蓋体部とが折り畳み可能に構成され、前記本体部の同一面に第１表示手段と第２表示手段とを備え、前記第１表示手段は前記蓋体部が折り畳まれているか否かにかかわらず露出し、前記第２表示手段は前記蓋体部が開かれたときに露出する携帯端末装置であって、前記蓋体部が折り畳まれているか否かを検出する検出手段と、メールの着信に際し、前記メールのタイトルを含む画面を前記第１表示手段に表示し、前記検出手段により前記蓋体部が折り畳み状態から開かれたことを検出されると、前記メールの詳細を前記第２表示手段に表示する制御手段とを備えている。
また、本発明においては、前記蓋体部の折り畳み内面側に設けられ、前記蓋体部が開かれたときに露出する操作キーを備えている。
更に、本発明においては、前記第２表示手段と前記操作キーとを前記携帯端末装置の長手方向に沿って配置している。
また、本発明においては、前記第１表示手段に表示されるメールのタイトルは、前記メールの差出人、件名、受信情報のインデックス、及び受信情報である音楽の曲名の内の少なくとも1つを含んでいる。
次に、他の本発明の携帯端末装置は、折り畳み可能に構成される携帯端末装置であって、携帯端末装置が折り畳まれているか否かにかかわらず露出している第１表示手段と、前記携帯端末装置を折り畳んだときに隠され、前記携帯端末装置が開いたときに露出する第２表示手段と、前記携帯端末装置が折り畳まれているか否かを検出する検出手段と、音楽情報の受信に際し、音声データを再生すると共に、前記音楽情報のタイトルを含む画面を前記第１表示手段に表示し、前記検出手段により前記携帯通信端末が折り畳み状態から開かれたことを検出されると、前記音楽情報の詳細を前記第２表示手段に表示する制御手段とを備えている。
また、本発明においては、前記第１表示手段は前記音楽情報の曲名や歌手を表示している。
【０００６】
この様な構成の本発明によれば、第１表示画面に第１情報を表示し、蓋体が開かれたことが開成検出手段によって検出されると、第２表示画面に第１情報に関連する第２情報を表示している。このため、第１表示画面の第１情報を見れば、蓋体を開かなくても、第２表示画面の第２情報を推定することができ、情報の確認や活用等を効率的に行うことができる。また、第２表示画面を見るときにだけ、蓋体が開かれて、第２表示画面による表示が行われるので、消費電力が節減される。
【０００７】
また、本発明においては、表示制御手段は、着信メッセージを受信したときに、着信メッセージの受信を知らせるための第１情報を第１表示画面に表示し、開成検出手段の出力に応答して、着信メッセージを第２情報として第２表示画面に表示している。
【０００８】
着信メッセージの受信を知らせるための第１情報としては、例えばメッセージの差出人や件名等がある。この様な第１情報を第１表示画面に表示すれば、第２表示画面の第２情報が着信メッセージであることを容易に推定することができ、着信メッセージの確認や活用等を効率的に行うことができる。
【００１３】
更に、本発明においては、表示制御手段は、音楽を受信したときに、音楽の受信を知らせるための第１情報を第１表示画面に表示し、開成検出手段の出力に応答して、音楽に関する情報を第２情報として第２表示画面に表示している。
【００１４】
音楽の受信を知らせるための第１情報としては、曲名や歌手等がある。この様な第１情報に基づいて、第２表示画面の第２情報が音楽に関するものであることを容易に推定することができる。
【００１９】
尚、本発明において、第１表示画面が複数の表示画面からなるものであっても、第２表示画面が複数の表示画面からなるものであっても構わない。
【００２０】
【発明の実施の形態】
以下、本発明の実施形態を添付図面を参照して詳細に説明する。
【００２１】
図１は、本発明の携帯端末装置の一実施形態を示すブロック図である。また、図２及び図３は、本実施形態の携帯端末装置１０の外観を示す平面図である。図２は、携帯端末装置１０の蓋体（以下フリップと称す）を閉じた状態を示し、また図３は、携帯端末装置１０のフリップを開いた状態を示す。
【００２２】
本実施形態の携帯端末装置１０は、所謂携帯電話機としての役目を果たし、またメッセージの送受、Ｗｅｂサーバへのアクセス、広告の受信、音楽の受信等を行ったり、更にはナビゲーションシステムとしての役目を果たすことができる。
【００２３】
図２及び図３に示す様に、この携帯端末装置１０は、本体筐体１と、開閉可能なフリップ２と、第１表示画面３と、第２表示画面４と、ダイヤルキー５と、スピーカ６と、マイク７と、操作制御ボタン８と、アンテナ９とを備えている。
【００２４】
通常、図２に示す様にフリップ２が閉じられた状態で、この携帯端末装置１０が携帯される。このとき、フリップ２によって、第２表示画面４及びダイヤルキー５が覆い隠されて保護される。ただし、第１表示画面３及び操作制御ボタン８が露出しており、第１表示画面３の表示内容を見たり、操作制御ボタン８を操作することができる。
【００２５】
また、通話のときには、図３に示す様にフリップ２が開かれる。この状態で、スピーカ６を耳に当て、マイク７を口に受けて、通話を行う。あるいは、第２表示画面４の表示内容を見たり、ダイヤルキー５を操作する。
【００２６】
一方、図１に示す様に、この携帯端末装置１０は、この装置を統括的に制御し、各種の機能を実現する中央処理装置（ＣＰＵ）１１と、ＢＩＯＳ（Basic Input Output System ）等の制御プログラムを格納したＲＯＭ（Read Only Memory）１２と、電話番号やメッセージ等の更新可能なデータを格納するＲＡＭ（Random Access Memory）１３と、マイク７からの音声信号を入力したり、スピーカ６へと音声信号を出力する音声入出力制御部１４と、アンテナ９を通じての電波信号の送受により基地局１５との間で各種の情報を通信する通信制御部１７と、第１及び第２表示画面３，４を表示駆動する表示制御部１８と、ダイヤルキー５及び操作制御ボタン８の操作による入力を検出する操作制御部１９と、この携帯端末装置１０の位置を検出する位置検出部２０と、フリップ２が開かれたことを検出する開成検出部２１とを備えている。
【００２７】
位置検出部２０は、ＧＰＳ（Global Positioning System ）を利用したものであり、静止衛星からの電波を受信して、電波の受信位置、つまり携帯端末装置１０の位置（緯度及び経度）を検出するものである。
【００２８】
開成検出部２１は、図３及び図４に示す様に、フリップ２側に突設された凸部２１ａと、本体筐体１の小孔１ａ内に設けられたスイッチ２１ｂとを備えている。フリップ２が閉じられると、図５に示す様にフリップ２の凸部２１ａが本体筐体１側のスイッチ２１ｂの可動子を押下し、スイッチ２１ｂがオンとなる。また、フリップ２が開かれると、図４に示す様にフリップ２の凸部２１ａが本体筐体１側のスイッチ２１ｂの可動子から離間して、スイッチ２１ｂがオフとなる。開成検出部２１は、スイッチ２１のオンオフに基づいて、フリップ２の開閉を検出する。
【００２９】
さて、この様な構成の携帯端末装置１０においては、メッセージの受信に際し、図６に示すフローチャートの処理を行う。ここでは、ＳＭＳ（Short Message Service ）の様にサーバから携帯端末装置１０へとメッセージを積極的に送信するプッシュ式の処理と、携帯端末装置１０からサーバへのアクセスに応答して、サーバからメッセージを得るプル式の処理とを説明する。
【００３０】
まず、プッシュ式の場合は、メッセージがサーバへと与えられて、ここに蓄積される（ステップＳ６−５）。サーバは、基地局１５を通じて、着信待機中の携帯端末装置１０を呼び出し、メッセージを基地局１５を通じて携帯端末装置１０へと送信する（ステップＳ６−６）。携帯端末装置１０では、メッセージを受信して通信制御部１７に入力し（ステップＳ６−７）、このメッセージをＲＡＭ１３に一旦記憶する。このとき、ＣＰＵ１１は、図７に示す様な「着信あり」を表示制御部１８を通じて第１表示画面３に表示しても構わない。
【００３１】
図８は、受信したメッセージの構造を示している。このメッセージ７−３は、ヘッダ領域７−２と本文領域７−３から構成されている。ヘッダ領域７−２には、差出人のメールアドレス、件名、日付等が含まれ、本文領域７−３には、メッセージのテキストが含まれている。
【００３２】
携帯端末装置１０のＣＰＵ１１は、ＲＡＭ１３内のメッセージ７−３を解析し（ステップＳ６−９）、ヘッダ領域７−２及び本文領域７−３のそれぞれの格納位置をＲＡＭ１３に書き込む（ステップＳ６−１０）。
【００３３】
更に、ＣＰＵ１１は、メッセージの着信を知らせる表示内容を設定するための設定情報を例えばＲＡＭ１３から読み出し（ステップＳ６−１１）、この設定情報に応じて、必要な情報を取得して整形し、これによりメッセージの着信を知らせる表示内容を設定する（ステップＳ６−１２）。
【００３４】
例えば、設定情報に応じて、ヘッダ領域７−２から差出人のメールアドレスと件名を抽出し、差し出人のメールアドレスから差出人の氏名を取得し、差出人の氏名と件名をメッセージの着信を知らせる表示内容として設定する。差出人の氏名は、ＲＡＭ１３内に予め設定されている図９に示すアドレス情報データベース９−２を検索することにより取得される。アドレス情報データベース９−２は、携帯端末装置１０のユーザにより予め設定されたものであり、複数の差し出人のメールアドレスと該各差出人の氏名が対応付けられている。ヘッダ領域７−２から差出人のメールアドレスを抽出し、このメールアドレスに対応する氏名を差出人の氏名として取得する。
【００３５】
ＣＰＵ１１は、メッセージの着信を知らせる表示内容を設定すると、図１０に示す様に、この表示内容を第１表示画面３に表示する（ステップＳ６−１３）。
【００３６】
また、プル式の場合は、携帯端末装置１０の操作制御ボタン８がユーザにより操作され、メッセージの処理が要求されると、ＣＰＵ１１は、図１１に示すメニューを第１表示画面３に表示する（ステップＳ６−１）。引き続いて、操作制御ボタン８がユーザにより操作され、第１表示画面３のメニューの「メッセージ受信」が指定されると（ステップＳ６−２）、これに応答してＣＰＵ１１は、通信制御部１７から基地局１５を通じてサーバを呼び出し、メッセージの送信をサーバに要求する（ステップＳ６−３）。
【００３７】
サーバでは、メッセージの送信要求に応答して、例えば携帯端末装置１０の電話番号を利用して、携帯端末装置１０のユーザを認証し、この後、該ユーザ宛てのメッセージを検索し（ステップＳ６−５）、このメッセージを蓄積していれば、このメッセージを基地局１５を通じて携帯端末装置１０へと送信する（ステップＳ６−６）。
【００３８】
ステップＳ６−７〜ステップＳ６−１３までの処理は、プッシュ式と同様である。
【００３９】
こうしてメッセージを受信し、このメッセージの着信を知らせる表示内容を第１表示画面３に表示している状態で、フリップ２が開けられると（ステップＳ６−１４）、このフリップ２の開成が開成検出部２１によって検出される（ステップＳ６−１５）。このフリップ２の開成に伴い、第２表示画面４が露出する。ＣＰＵ１１は、開成検出部２１の検出出力に応答して、メッセージ７−３の本文領域７−３の内容をＲＡＭ１３から読み出し、図１２に示す様に、この本文領域７−３の内容を表示制御部１８を通じて第２表示画面４に表示する（ステップＳ６−１６）。
【００４０】
この様に本実施形態の携帯端末装置１０では、メッセージを受信すると、このメッセージの受信を知らせる表示内容を第１表示画面３に表示し、フリップ２が開かれ、第２表示画面４が露出したときに、メッセージの内容を第２表示画面４に表示している。このため、フリップ２が閉じられた状態であっても、メッセージの受信を知ることができ、ユーザの都合が良いときに、フリップ２を開いて、メッセージの内容を見ることができる。また、第２表示画面４を見るときにだけ、フリップ２が開かれて、第２表示画面４による表示が行われるので、消費電力が節減される。
【００４１】
ところで、先に述べた様に本実施形態の携帯端末装置１０では、メッセージの送受ばかりでなく、Ｗｅｂサーバへのアクセス、広告の受信、音楽の受信等を行ったり、更にはナビゲーションシステムとしての役目を果たすことができる。
【００４２】
例えば、Ｗｅｂサーバ（以下ニュースサーバと称す）へアクセスし、ニュースサーバの情報（例えばニュース）を閲覧する場合は、携帯端末装置１０の操作制御ボタン８がユーザにより操作され、メニューの表示が要求される。これに応答してＣＰＵ１１は、図１３に示す様なメニューを第１表示画面３に表示する。引き続いて、操作制御ボタン８が操作され、第１表示画面３のメニューの「ニュース」が指定されると、ＣＰＵ１１は、図１４に示す様な次のメニューを第１表示画面３に表示する。更に、操作制御ボタン８が操作され、第１表示画面３のメニューの「○○新聞」が指定されると、ＣＰＵ１１は、通信制御部１７から基地局１５を通じてニュースサーバを呼び出し、「○○新聞」の送信をニュースサーバに要求する。
【００４３】
ニュースサーバでは、「○○新聞」の送信要求に応答して、「○○新聞」の情報を検索し、この「○○新聞」の情報を基地局１５を通じて携帯端末装置１０へと送信する。
【００４４】
携帯端末装置１０では、「○○新聞」の情報を受信してＲＡＭ１３に記憶する。ＣＰＵ１１は、「○○新聞」の情報を例えばインデックス領域と本文領域に区分し、それぞれの領域の格納位置をＲＡＭ１３に書き込む。この後、ＣＰＵ１１は、図１５に示す様なインデックス領域の内容を第１表示画面３に表示する。そして、操作制御ボタン８が操作され、第１表示画面３の内容から「○○山が噴火」が指定されると、ＣＰＵ１１は、ＲＡＭ１３内の本文領域の「○○山が噴火」の内容を選択する。更に、フリップ２が開けられ、第２表示画面４が露出したときに、ＣＰＵ１１は、開成検出部２１の検出出力に応答して、本文領域の「○○山が噴火」の内容をＲＡＭ１３から読み出し、図１６に示す様に、この「○○山が噴火」の内容を第２表示画面４に表示する。
【００４５】
また、広告がプッシュ式でサーバ（以下広告サーバと称す）から送信されて来ることがある。この場合、広告サーバは、基地局１５を通じて、着信待機中の携帯端末装置１０を呼び出し、広告の情報を基地局１５を通じて携帯端末装置１０へと送信する。
【００４６】
携帯端末装置１０では、広告の情報を受信してＲＡＭ１３に記憶する。ＣＰＵ１１は、広告の情報を例えばインデックス領域（例えば会社名）と本文領域（広告の内容）に区分し、それぞれの領域の格納位置をＲＡＭ１３に書き込む。この後、ＣＰＵ１１は、図１７に示す様なインデックス領域の内容を第１表示画面３に表示する。インデックス領域の内容は、会社名に限らず、簡単なメッセージであっても良く、このメッセージを第１表示画面３にテロップで表示しても構わない。
【００４７】
この後、操作制御ボタン８が操作され、第１表示画面３の内容から「○○電気」が指定されると、ＣＰＵ１１は、ＲＡＭ１３内の本文領域の「○○電気」の広告の内容を選択する。更に、フリップ２が開けられ、第２表示画面４が露出したときに、ＣＰＵ１１は、開成検出部２１の検出出力に応答して、「○○電気」の広告の内容をＲＡＭ１３から読み出し、図１８に示す様に、この広告の内容を第２表示画面４に表示する。
【００４８】
更に、音楽を受信する場合は、携帯端末装置１０の操作制御ボタン８が操作されて、例えば所望の曲を示すコードが入力され、この曲の送信が要求される。これに応答してＣＰＵ１１は、通信制御部１７から基地局１５を通じてサーバ（以下音楽サーバと称す）を呼び出し、所望の曲のコードを音楽サーバに送信し、この曲の送信を音楽サーバに要求する。
【００４９】
音楽サーバでは、曲のコード及び曲の送信要求に応答して、まず携帯端末装置１０の電話番号を利用して、携帯端末装置１０のユーザを認証し、この後、曲のコードに基づいて、この曲を示す音声データを検索すると共に、この曲の曲名、歌詞、歌手、作詞家、作曲家等の表示情報を検索し、音声データ及び表示情報を基地局１５を通じて携帯端末装置１０へと送信する。
【００５０】
携帯端末装置１０では、音声データ及び表示情報を受信すると、音声データによって示される音声をスピーカ６から発音すると共に、表示情報をＲＡＭ１３に記憶する。そして、ＣＰＵ１１は、この表示情報を解析して、例えば曲名及び歌手と、他の内容（音楽関連情報）を区別し、曲名及び歌手の格納位置と音楽関連情報の格納位置をＲＡＭ１３に書き込む。この後、ＣＰＵ１１は、図１９に示す様に曲名及び歌手を第１表示画面３に表示する。更に、フリップ２が開けられ、第２表示画面４が露出すると、ＣＰＵ１１は、開成検出部２１の検出出力に応答して、音楽関連情報をＲＡＭ１３から読み出し、図２０に示す様に、この音楽関連情報を第２表示画面４に表示する。
【００５１】
更に、携帯端末装置１０をナビゲーションシステムとして用いる場合は、携帯端末装置１０の操作制御ボタン８が操作されて、例えば目的地の地名が入力され、ナビゲーションシステムの起動が指示される。これに応答してＣＰＵ１１は、位置検出部２０を起動して、位置検出部２０により携帯端末装置１０の位置を検出させる。そして、ＣＰＵ１１は、通信制御部１７から基地局１５を通じてサーバ（以下経路検索サーバと称す）を呼び出し、目的地の地名と携帯端末装置１０の位置を経路検索サーバに送信し、目的地までの経路の送信を経路検索サーバに要求する。
【００５２】
また、ＣＰＵ１１は、図２１に示す様に携帯端末装置１０の位置（経度及び緯度）を第１表示画面３に表示する。尚、多数の地名とそれぞれの緯度及び経度を対応させたデータベースを携帯端末装置１０に格納しておき、携帯端末装置１０の経度及び緯度に対応する地名を該データベースから検索して、この地名を第１表示画面３に表示させても良い。
【００５３】
経路検索サーバでは、目的地の地名と携帯端末装置１０の位置、及び目的地までの経路の送信要求に応答して、周知のナビゲーションシステムを利用して、携帯端末装置１０の位置から目的地までの経路の情報を検索し、この経路の情報を基地局１５を通じて携帯端末装置１０へと送信する。この経路の情報は、例えば目的地に到達するための順路（右折及び左折すべき位置）、及び携帯端末装置１０の位置を記入した該装置１０周辺の地図である。
【００５４】
携帯端末装置１０では、経路の情報を受信してＲＡＭ１３に記憶する。ＣＰＵ１１は、経路の情報のうちの目的地に到達するための順路をＲＡＭ１３から読み出し、この順路を第１表示画面３に表示する。例えば、「次の信号を右折」、あるいは「１K ｍ先を左折」という様に、次に方向を変更する位置までの距離やその方向等を表示する。
【００５５】
また、フリップ２が開けられ、第２表示画面４が露出すると、ＣＰＵ１１は、開成検出部２１の検出出力に応答して、携帯端末装置１０周辺の地図をＲＡＭ１３から読み出し、図２２に示す様に、この周辺の地図を第２表示画面４に表示する。この地図には、携帯端末装置１０の位置が「◎」で記入されている。
【００５６】
更に、携帯端末装置１０のユーザが移動しているときには、定期的に、携帯端末装置１０の位置が更新され、携帯端末装置１０から経路検索サーバへのアクセスが行われて、経路情報が更新される。これに伴い、第１表示画面３の表示内容、及び第２表示画面４の地図も更新される。
【００５７】
また、携帯端末装置１０の操作制御ボタン８の操作により、地図の縮尺率を指定し、経路検索サーバから携帯端末装置１０へと、指定された縮尺率の地図を示す経路情報を送信し、この地図を第２表示画面４に表示しても良い。
【００５８】
尚、本発明は、上記実施形態に限定されるものでなく、多様に変形することができる。例えば、フリップ２の開閉にかかわらず、常に露出している第１表示画面を複数の表示画面に分割したり、フリップ２を閉じているときに、フリップ２により覆い隠される第２表示画面４を複数の表示画面に分割しても構わない。
【００５９】
【発明の効果】
以上説明した様に本発明によれば、第１表示画面に第１情報を表示し、蓋体が開かれたことが開成検出手段によって検出されると、第２表示画面に第１情報に関連する第２情報を表示している。このため、第１表示画面の第１情報を見れば、蓋体を開かなくても、第２表示画面の第２情報を推定することができ、情報の確認や活用等を効率的に行うことができる。また、必要なときにだけ、蓋体が開かれて、第２表示画面による表示が行われるので、消費電力が節減される。
【００６０】
また、本発明によれば、着信メッセージを受信したときに、着信メッセージの受信を知らせるための第１情報を第１表示画面に表示し、開成検出手段の出力に応答して、着信メッセージを第２情報として第２表示画面に表示している。このため、第１表示画面の第１情報から、第２表示画面の第２情報が着信メッセージであることを容易に推定することができ、着信メッセージの確認や活用等を効率的に行うことができる。
【００６１】
更に、本発明によれば、Ｗｅｂにより検索された情報を受信したときに、検索された情報の受信を知らせるための第１情報を第１表示画面に表示し、開成検出手段の出力に応答して、検索された情報を第２情報として第２表示画面に表示している。このため、第１表示画面の第１情報から、第２表示画面の第２情報がＷｅｂにより検索されたものであることを容易に推定することができる。
【００６２】
また、本発明によれば、広告を受信したときに、広告の受信を知らせるための第１情報を第１表示画面に表示し、開成検出手段の出力に応答して、広告を第２情報として第２表示画面に表示している。このため、第１表示画面の第１情報から、第２表示画面の第２情報が広告であることを容易に推定することができる。
【００６３】
更に、本発明によれば、音楽を受信したときに、音楽の受信を知らせるための第１情報を第１表示画面に表示し、開成検出手段の出力に応答して、音楽に関する情報を第２情報として第２表示画面に表示している。このため、第１表示画面の第１情報から、第２表示画面の第２情報が音楽に関するものであることを容易に推定することができる。
【００６４】
また、本発明によれば、携帯端末装置の位置を第１情報として第１表示画面に表示し、開成検出手段の出力に応答して、該携帯端末装置周辺の案内情報を第２情報として第２表示画面に表示している。このため、第１表示画面の第１情報から、第２表示画面に携帯端末装置周辺の案内情報が表示されることが分かる。
【００６５】
更に、本発明によれば、常に露出している操作入力手段を操作することにより、常に露出している第１表示画面の表示内容を変更することができる。
【図面の簡単な説明】
【図１】本発明の携帯端末装置の一実施形態を示すブロック図である。
【図２】蓋体を閉じた状態の携帯端末装置の外観を示す平面図である。
【図３】蓋体を開いた状態の携帯端末装置の外観を示す平面図である。
【図４】蓋体を開いた状態の開成検出部を概略的に示す図である。
【図５】蓋体を閉じた状態の開成検出部を概略的に示す図である。
【図６】携帯端末装置の処理を示すフローチャートである。
【図７】メッセージ受信のときに携帯端末装置の第１表示画面に表示される内容を示す図である。
【図８】受信したメッセージの構造を示す図である。
【図９】携帯端末装置のアドレス情報データベースを示す図である。
【図１０】メッセージ受信のときに携帯端末装置の第１表示画面に表示される他の内容を示す図である。
【図１１】携帯端末装置の第１表示画面に表示されるメッセージの処理に関するメニューを示す図である。
【図１２】メッセージ受信のときに携帯端末装置の第２表示画面に表示される内容を示す図である。
【図１３】携帯端末装置の第１表示画面に表示される情報の閲覧に関するメニューを示す図である。
【図１４】携帯端末装置の第１表示画面に表示される情報の閲覧に関する次のメニューを示す図である。
【図１５】閲覧情報受信のときに携帯端末装置の第１表示画面に表示される内容を示す図である。
【図１６】閲覧情報受信のときに携帯端末装置の第２表示画面に表示される内容を示す図である。
【図１７】広告受信のときに携帯端末装置の第１表示画面に表示される内容を示す図である。
【図１８】広告受信のときに携帯端末装置の第２表示画面に表示される内容を示す図である。
【図１９】音楽受信のときに携帯端末装置の第１表示画面に表示される内容を示す図である。
【図２０】音楽受信のときに携帯端末装置の第２表示画面に表示される内容を示す図である。
【図２１】経路受信のときに携帯端末装置の第１表示画面に表示される内容を示す図である。
【図２２】経路受信のときに携帯端末装置の第２表示画面に表示される内容を示す図である。
【符号の説明】
１  本体筐体
２  フリップ
３  第１表示画面
４  第２表示画面
５  ダイヤルキー
６  スピーカ
７  マイク
８  操作制御ボタン
９  アンテナ
１０  携帯端末装置
１１  中央処理装置（ＣＰＵ）
１２  ＲＯＭ
１３  ＲＡＭ
１４  音声入出力制御部
１５  基地局
１７  通信制御部
１８  表示制御部
１９  操作制御部
２０  位置検出部
２１  開成検出部
【図１】
0004040252.tif 000002
【図２】
0004040252.tif 000003
【図３】
0004040252.tif 000004
【図４】
0004040252.tif 000005
【図５】
0004040252.tif 000006
【図６】
0004040252.tif 000007
【図７】
0004040252.tif 000008
【図８】
0004040252.tif 000009
【図９】
0004040252.tif 000010
【図１０】
0004040252.tif 000011
【図１１】
0004040252.tif 000012
【図１２】
0004040252.tif 000013
【図１３】
0004040252.tif 000014
【図１４】
0004040252.tif 000015
【図１５】
0004040252.tif 000016
【図１６】
0004040252.tif 000017
【図１７】
0004040252.tif 000018
【図１８】
0004040252.tif 000019
【図１９】
0004040252.tif 000020
【図２０】
0004040252.tif 000021
【図２１】
0004040252.tif 000022
【図２２】
0004040252.tif 000023